(57)【要約】【課題】通信品質や通信帯域の異なるユーザ数の割り当てが多く、通信品質や通信帯域の異なるトラフィックが増大している場合に最適なパケットの優先制御を実現する無線基地局装置及びパケット送信制御方法を提供すること。【解決手段】本発明の実施の形態にかかる無線基地局装置において、パケット優先制御部４は、コアネットワーク１０に対して出力されるパケット信号のトラフィック量情報を取得する。そして、パケット優先制御部４は、取得したトラフィック量情報に基づいて予め定められた判断基準に従い、優先度情報を生成する。パケット通信処理部２は、生成された優先度情報に応じて優先度が高いパケット信号を優先して出力する。【選択図】図１
2013225834.tif 000002
【特許請求の範囲】
【請求項１】
複数の無線通信端末から送信された無線信号に対するインタフェース処理を実行し、パケット信号を出力する無線インタフェース処理部と、
前記無線インタフェース処理部より出力されたパケット信号に含まれる優先度情報に応じて、優先度が高いパケット信号を優先して出力するパケット通信処理部と、
前記パケット通信処理部より出力されたパケット信号に対するインタフェース処理を実行し、パケット信号をコアネットワークに対して出力するコアネットワークインタフェース処理部と、
前記コアネットワークインタフェース処理部よりトラフィック量情報を取得し、取得したトラフィック量情報に基づいて優先度情報を生成して前記無線インタフェース処理部に出力するパケット優先制御部を備え、
前記無線インタフェース処理部は、パケット優先制御部から出力された優先度情報を、対応するパケット信号中に含める無線基地局装置。
【請求項２】
前記パケット優先制御部は、
保証ビットレートと、前記トラフィック量情報に基づいて優先度情報を生成する請求項１記載の無線基地局装置。
【請求項３】
前記パケット優先制御部は、
最大ビットレートと、前記トラフィック量情報に基づいて優先度情報を生成する請求項１記載の無線基地局装置。
【請求項４】
前記パケット優先制御部は、
帯域保証ベアラと、前記トラフィック量情報に基づいて優先度情報を生成する請求項１記載の無線基地局装置。
【請求項５】
前記パケット通信処理部は、
前記無線インタフェース処理部から出力されたパケット信号に対してパケットスイッチングするスイッチ機能部と、
前記スイッチ機能部より出力されたパケット信号に対してプロトコル変換を実行するプロトコル変換機能部を有し、
当該スイッチ機能部が前記パケット信号に含まれる優先度情報に応じて、優先度が高いパケット信号を優先して前記プロトコル変換機能部に出力する請求項１〜４いずれかに記載の無線基地局装置。
【請求項６】
前記パケット優先制御部は、
前記スイッチ機能部から出力されたデータの遅延量の情報と、前記無線インタフェース処理部から出力されたデータの遅延量の情報と、に基づいて、優先度情報を生成する請求項５に記載の無線基地局装置。
【請求項７】
前記無線インタフェース処理部は、優先度情報をＶＬＡＮタグ情報に含める請求項１〜６いずれかに記載の無線基地局装置。
【請求項８】
ＬＴＥ無線基地局装置であって、前記無線インタフェース処理部から出力されたパケット信号は、Ｕ−Ｐｌａｎｅデータである、請求項１〜７いずれかに記載の無線基地局装置。
【請求項９】
無線通信端末より受信した無線信号に基づいて生成されたパケット信号をコアネットワークに対して送信する制御を実行するパケット送信制御方法であって、
前記コアネットワークに対して出力されるパケット信号のトラフィック量情報を取得するステップと、
取得したトラフィック量情報に基づいて優先度情報を生成するステップと、
前記優先度情報に応じて、優先度が高いパケット信号を優先して出力する制御を実行するステップを備えたパケット送信制御方法。
【請求項１０】
前記優先度情報を生成するステップでは、保証ビットレートと、前記トラフィック量情報に基づいて優先度情報を生成する請求項９記載のパケット送信制御方法。
【発明の詳細な説明】
【技術分野】
【０００１】
本発明は、無線基地局装置及びパケット送信制御方法に関し、特に詳しくはパケット優先制御技術に関する。
【背景技術】
【０００２】
ＬＴＥ（Long Term Evolution）サービスの普及により、さらに大容量の動画データなどのリアルタイム性を要求されるトラフィックデータの増加が見込まれている。ここで、ＬＴＥシステムアーキテクチャについて非特許文献１に開示された図を用いて説明する。
【０００３】
図２、３に示されるように、ＬＴＥシステムは、Ｓ−ＧＷ（Serving-GateWay）１０と、ｅＮｏｄｅＢ（E-UTRAN NodeB）１１と、ＵＥ（User Equipment）１２とを備えている。既存の３ＧＰＰ（W-CDMAシステムアーキテクチャ）と比較すると、ＬＴＥシステムは、ネットワークアーキテクチャを簡素化することにより、ユーザスループットの拡大とユーザデータのレイテンシ(遅延)の低減を実現している。
【０００４】
しかし、ＬＴＥシステムのアーキテクチャにおいて、通信品質や通信帯域の異なるサービス種別のユーザトラフィックデータを扱う場合に、Ｓ１−Ｕ（Ｓ−ＧＷとｅＮｏｄｅＢ間のインタフェース）１３におけるユーザスループットの拡大とユーザデータのレイテンシ低減のために、ｅＮｏｄｅＢ１１においていかに通信品質や通信帯域の異なるサービス種別やトラフィック状況に応じたトラフィック優先制御を実行するかが大きな課題である。
【０００５】
さらに、図４を用いて、ＬＴＥシステムの構成について説明する。図４に示されるように、ＬＴＥシステムは、無線インタフェース処理部１０１Ａ−１〜１０１Ａ−Ｎと、Ｅｔｈｅｒｎｅｔ（登録商標）インタフェース１０２Ａ−１〜１０２Ａ−Ｎと、ｅＮｏｄｅＢプライベートＥｔｈｅｒｎｅｔスイッチ機能部１０３Ａと、ｅＮｏｄｅＢ ＩＰ伝送プロトコル変換機能部１０５Ａと、ｅＮｏｄｅＢ Ｕ−Ｐｌａｎｅ無線リソース管理・パラメータ管理部１０８Ａを備えている。
【０００６】
ここで、無線インタフェース処理部１０１Ａ−１〜１０１Ａ−Ｎは、ＲＬＣ(Radio Link Control)、ＭＡＣ（Medium Access Control）及びＰＨＹ（Physical Interface）の各プロトコルレイヤを処理する機能を有する。
【０００７】
Ｅｔｈｅｒｎｅｔインタフェース１０２Ａ−１〜１０２Ａ−Ｎは、無線インタフェース処理部１０１Ａ−１〜１０１Ａ−Ｎで処理したＵ−ＰｌａｎｅデータをＥｔｈｅｒｎｅｔフレームフォーマットでＮｏｄｅＢプライベートＥｔｈｅｒｎｅｔスイッチ機能部(１０３Ａ)に出力する機能を有する。
【０００８】
ｅＮｏｄｅＢプライベートＥｔｈｅｒｎｅｔスイッチ機能部１０３Ａは、無線インタフェース処理部１０１Ａ−１〜１０１Ａ−Ｎから送信されたＥｔｈｅｒｎｅｔフレームＵ−ＰｌａｎｅデータをｅＮｏｄｅＢ ＩＰ伝送プロトコル変換機能部１０５Ａにパケットスイッチングして送信する機能を有する。
【０００９】
ｅＮｏｄｅＢ ＩＰ伝送プロトコル変換機能部１０５Ａは、Ｓ−ＧＷ１０にＧＴＰ−Ｕプロトコル変換処理（図３の１４）をしてパケット転送する機能を有する。
【００１０】
ｅＮｏｄｅＢ Ｕ−Ｐｌａｎｅ無線リソース管理・パラメータ管理部１０８Ａは、ｅＮｏｄｅＢ１１のＳ１−ＵインタフェースであるＳ−ＧＷ ＩＰ伝送路インタフェース部１１１Ａと、ｅＮｏｄｅＢの割り当てられるＵ−Ｐｌａｎｅ呼の無線リソース管理と各種パラメータを管理する機能を有する。
【００１１】
このように先行技術にかかる一般的な構成では、ｅＮｏｄｅＢ U-Pane無線リソース管理・パラメータ管理部１０８Ａに対してユーザ毎にサービス種別の優先度をＩＰ（Internet Protocol）レイヤ規定するＤＳＣＰ（Differentiated Services Code Point）が通知されている。そして、ＤＳＣＰに基づいた優先制御の処理をｅＮｏｄｅＢ ＩＰ伝送路プロトコル変換機能部１０５Ａにおいて実行していた。
【００１２】
ここで、ｅＮｏｄｅＢ Ｕ−Ｐｌａｎｅ無線リソース管理・パラメータ管理部１０８Ａと、ｅＮｏｄｅＢ ＩＰ伝送プロトコル変換機能部１０５Ａにおいて、Ｕ−Ｐｌａｎｅパケットの優先制御を実行する基本的な動作を説明する。
【００１３】
ｅＮｏｄｅＢ Ｕ−Ｐｌａｎｅ無線リソース管理・パラメータ管理部１０８Ａは、Ｕ−Ｐｌａｎｅ呼が割り当てられたら、無線リソースＮｏ．（図８の２１０）を管理する。そして、ｅＮｏｄｅＢ Ｕ−Ｐｌａｎｅ無線リソース管理・パラメータ管理部１０８Ａは、無線インタフェース処理する処理部のブロック割り当てを実行し（図８の２１１）、無線リソースＮｏ．に関連づけられたプライベートＩＰアドレス（図８の２１２）と、ＩＰヘッダに付与するＤＳＣＰの値を各無線インタフェース処理部１０１Ａ−１〜１０１Ａ−Ｎに対して通知する（図４の１１０Ａ)。
【００１４】
ｅＮｏｄｅＢ Ｕ−Ｐｌａｎｅ無線リソース管理・パラメータ管理部１０８Ａは、ＧＴＰ−Ｕにプロトコル変換するために無線リソースＮｏ．に対応づけられたプライベートＩＰアドレス２１２とＧＴＰ−Ｕ ＴＥ−ＩＤ２１３をｅＮｏｄｅＢ ＩＰ伝送プロトコル変換機能部１０５Ａに対して通知する（図４の１０９Ａ）。さらに、ｅＮｏｄｅＢ Ｕ−Ｐｌａｎｅ無線リソース管理・パラメータ管理部１０８Ａは、無線リソースのＵ−Ｐｌａｎｅデータの品質指標であるＤＳＣＰもｅＮｏｄｅＢ ＩＰ伝送プロトコル変換機能部１０５Ａに対して通知する通知し（図４の１０９Ａ）。ｅＮｏｄｅＢ ＩＰ伝送プロトコル変換機能部１０５ＡはＩＰ ＨｅａｄｅｒのＤＳＣＰに基づいたパケット送信の優先制御を行う。
【００１５】
通信品質や通信帯域の異なるユーザ数の割り当てが少なくトラフィックが比較的すくない場合は、特に問題ないが、通信品質や通信帯域の異なるユーザ数の割り当てが多く、通信品質や通信帯域の異なるトラフィックが増大している場合には次のような問題が発生する。
【００１６】
まず、ＧＴＰ−Ｕプロトコル変換の処理とＤＳＣＰの優先制御のソフトウェア処理の負荷により、パケット処理の時間が大きくなる。次に、ＰＤＣＰ(Packet Data Convergence Protocol)からＧＴＰ−Ｕ(General Packet Radio System Tunneling Protocol User Plane)の変換プロトコル処理において優先制御のプロトコルがないため、入力したパケットから順次処理していくことになり、最適な優先制御が行われない。
【先行技術文献】
【非特許文献】
【００１７】
【非特許文献１】3GPP Technical Specification 36.300 V11.0.0, [online], 2011-12, ［平成２４年３月２２日検索］, インターネット〈URL：http://www.3gpp.org/ftp/Specs/html-info/36300.htm〉
【非特許文献２】3GPP Technical Specification 23.207 V11.0.0, [online], 2012-9, ［平成２４年１２月４日検索］, インターネット〈URL：http://www.3gpp.org/ftp/Specs/html-info/23207.htm〉
【発明の概要】
【発明が解決しようとする課題】
【００１８】
このように、先行技術にかかるパケットの優先制御は、通信品質や通信帯域の異なるユーザ数の割り当てが多く、通信品質や通信帯域の異なるトラフィックが増大している場合に最適とはいえなかった。
【００１９】
本発明は、通信品質や通信帯域の異なるユーザ数の割り当てが多く、通信品質や通信帯域の異なるトラフィックが増大している場合に最適なパケットの優先制御を実現する無線基地局装置及びパケット送信制御方法を提供することを目的とする。
【課題を解決するための手段】
【００２０】
本願発明の一態様にかかる無線基地局装置は、複数の無線通信端末から送信された無線信号に対するインタフェース処理を実行し、パケット信号を出力する無線インタフェース処理部と、前記無線インタフェース処理部より出力されたパケット信号に含まれる優先度情報に応じて、優先度が高いパケット信号を優先して出力するパケット通信処理部と、前記パケット通信処理部より出力されたパケット信号に対するインタフェース処理を実行し、パケット信号をコアネットワークに対して出力するコアネットワークインタフェース処理部と、前記コアネットワークインタフェース処理部よりトラフィック量情報を取得し、取得したトラフィック量情報に基づいて優先度情報を生成して前記無線インタフェース処理部に出力するパケット優先制御部を備え、前記無線インタフェース処理部は、パケット優先制御部から出力された優先度情報を、対応するパケット信号中に含めるものである。
【００２１】
本願発明の一態様にかかるパケット送信制御方法は、無線通信端末より受信した無線信号に基づいて生成されたパケット信号をコアネットワークに対して送信する制御を実行するパケット送信制御方法であって、前記コアネットワークに対して出力されるパケット信号に基づいてトラフィック量情報を取得するステップと、取得したトラフィック量情報に基づいて優先度情報を生成するステップと、前記優先度情報に応じて、優先度が高いパケット信号を優先して出力する制御を実行するステップを備えたものである。
【発明の効果】
【００２２】
本発明によれば、通信品質や通信帯域の異なるユーザ数の割り当てが多く、通信品質や通信帯域の異なるトラフィックが増大している場合に最適なパケットの優先制御を実現する無線基地局装置及びパケット送信制御方法を提供することができる。
【図面の簡単な説明】
【００２３】
【図１】本発明の実施の形態にかかる無線基地局装置の構成を示すブロック図である。
【図２】背景技術にかかるＬＴＥシステムの構成を示すブロック図である。
【図３】背景技術にかかるＬＴＥシステムの構成を示すブロック図である。
【図４】背景技術にかかる無線基地局装置の構成を示すブロック図である。
【図５】本発明の実施の形態にかかる無線基地局装置の構成を示すブロック図である。
【図６】背景技術にかかるＬＴＥシステムにおけるプロトコル変換を示す説明図である。
【図７】本発明の実施の形態にかかる無線基地局装置におけるプロトコル変換を示す説明図である。
【図８】背景技術にかかるＬＴＥシステムにおけるＵ−Ｐｌａｎｅ無線リソース割り当て管理を説明するための説明図である。
【図９】本発明の実施の形態にかかる無線基地局装置におけるＵ−Ｐｌａｎｅ無線リソース割り当て管理を説明するための説明図である。
【図１０】本発明の実施の形態にかかる無線基地局装置の処理を示すフローチャートである。
【図１１】本発明の実施の形態にかかる無線基地局装置におけるＶＬＡＮタグＶ−ＩＤ動的割り当てを説明するための説明図である。
【図１２】本発明の実施の形態にかかる無線基地局装置におけるＶＬＡＮタグＶ−ＩＤ動的割り当てを説明するための説明図である。
【図１３】関連する通信品質指標である。
【図１４】関連するパケットの滞留時間量の一覧表である。
【図１５】本発明の実施の形態にかかるＶＬＡＮタグフォーマットの例である。
【図１６】本発明の実施の形態にかかる無線基地局装置の処理を示すフローチャートである。
【図１７】本発明の実施の形態にかかるＶＬＡＮタグのＶ−ＩＤ動的割り当ての為のパラメータとトラフィック状態の一例である。
【図１８】本発明の実施の形態にかかるＶ−ＩＤ値の算出する際の具体的なパラメータの一例である。
【発明を実施するための形態】
【００２４】
発明の実施の形態１．
図１は、本発明の実施の形態１にかかる無線基地局装置の構成を示すブロック図である。
無線基地局装置は、例えば、大容量の動画データの送受信を可能とするＬＴＥシステムに収容される。無線基地局装置は、複数の無線通信端末と、無線通信により接続可能である。また、無線基地局は、コアネットワークとも有線通信により接続可能である。
【００２５】
無線基地局装置は、無線インタフェース処理部１と、パケット通信処理部２と、コアネットワークインタフェース処理部３と、パケット優先制御部４を備えている。
【００２６】
無線インタフェース処理部１は、複数の無線通信端末から送信された無線信号に対するインタフェース処理を実行し、Ｕ−Ｐｌａｎｅデータであるパケット信号を生成する機能を有する。ここで、無線インタフェース処理部１は、パケット優先制御部から出力された優先度情報を、対応するパケット信号中に含める機能も有する。例えば、この優先度情報をＶＬＡＮタグＶ−ＩＤの領域に含める。
【００２７】
パケット通信処理部２は、無線インタフェース処理部より出力されたパケット信号に含まれる優先度情報に応じて、優先度が高いパケット信号を優先して出力する機能を有する。
【００２８】
パケット通信処理部２は、例えば、無線インタフェース処理部１から出力されたパケット信号に対してパケットスイッチングするスイッチ機能部と、スイッチ機能部より出力されたパケット信号に対してプロトコル変換を実行するプロトコル変換機能部を有する。スイッチ機能部は、パケット信号に含まれる優先度情報に応じて、優先度が高いパケット信号を優先してプロトコル変換機能部に出力する機能を有する。
【００２９】
コアネットワークインタフェース処理部３は、パケット通信処理部２より出力されたパケット信号に対するインタフェース処理を実行し、パケット信号をコアネットワークに対して出力する機能を有する。
【００３０】
パケット優先制御部４は、コアネットワークインタフェース処理部３よりトラフィック量情報を取得し、取得したトラフィック量情報に基づいて優先度情報を生成して無線インタフェース処理部に出力する機能を有する。パケット優先制御部４は、トラフィック量情報に加えて、保証ビットレート、最大ビットレートや帯域保証ベアラに基づいて優先度情報を生成することもできる。
【００３１】
帯域保証ベアラが帯域を保証する場合について最初に説明する。
この場合に、トラフィック量情報により特定されるトラッフィック量が比較的少ない（即ち、比較的低い伝送速度である）ときは、高い優先度とする。また、トラフィック量情報により特定されるトラッフィック量が比較的に多い（即ち、比較的高い伝送速度である）場合には、低い優先度とする。
【００３２】
より具体的には、トラフィック量（伝送速度）と保証ビットレートとを比較し、トラフィック量（伝送速度）が保証ビットレートよりも低くなればなるほど、高い優先度とする。また、トラフィック量（伝送速度）と保証ビットレートとを比較し、トラフィック量（伝送速度）が保証ビットレートよりも高ければ高くなればなるほど、低い優先度とする。
【００３３】
また、トラフィック量（伝送速度）と保証ビットレートの差分と、最大ビットレートと保証ビットレートの差分とを比較し、前者の値が後者の値に近づけば近づく程、低い優先度とする。
【００３４】
帯域保証ベアラが帯域を保証しない場合には、保証する場合と異なり、トラフィック量情報により特定されるトラッフィック量が比較的少ない（即ち、比較的低い伝送速度である）ときは、低い優先度とする。また、トラフィック量情報により特定されるトラッフィック量が比較的に多い（即ち、比較的高い伝送速度である）場合には、高い優先度とする。具体的な決定方法については、発明の実施の形態２において説明する。
【００３５】
本発明の実施の形態１にかかる無線基地局装置では、トラフィック量を検知して、これに応じてパケットの優先制御をしているため、通信品質や通信帯域の異なるユーザ数の割り当てが多く、通信品質や通信帯域の異なるトラフィックが増大している場合であっても最適な優先制御を実現することができる。
【００３６】
発明の実施の形態２．
本願の発明者は、通信品質や通信帯域の異なるユーザ数の割り当てが少なくトラフィックが比較的少ない場合は、一般的な優先制御で十分であるが、通信品質や通信帯域の異なるユーザ数の割り当てが多く、かつ通信品質や通信帯域の異なるトラフィックが増大している場合には、最適な優先制御をしなければ、ユーザの満足を得ることが難しいことに着眼した。
【００３７】
そして、本願の発明者は、ｅＮｏｄｅＢの通信品質や通信帯域の異なる上りトラフィックデータで大きな比重を占めるＵ−Ｐｌａｎｅデータに着目し、Ｕ−Ｐｌａｎｅデータのパラメータに特化することと比較的簡単な構成で無線リソースに割り当てられたＵ−Ｐｌａｎｅデータのトラフィック状況を把握できる手段を用意し、そのトラフィック状況に応じてｅＮｏｄｅＢ内のプライベート(ローカル)空間で閉じたＵ−ＰｌａｎｅデータのＥｔｈｅｒ/ＩＰパケットのネットワーク最適制御を行える手段を提案することになった。
【００３８】
さらに本願の発明者は、非特許文献２に開示されている通信品質指標（図１３）を参考にし、通信品質や通信帯域の異なるユーザ数の割り当てが多く、通信品質や通信帯域の異なるトラフィックが増大している場合に、各Ｕ−Ｐｌａｎｅデータの遅延量を算出し、その遅延量状況に応じてｅＮｏｄｅＢ内のプライベート（ローカル）空間で閉じたＵ−ＰｌａｎｅデータのＥｔｈｅｒ／ＩＰパケットのネットワーク最適制御を行える手段を提案することになった。
【００３９】
図５を用いて、本発明の実施の形態２にかかる無線基地局装置の構成について説明する。
図に示されるように、当該無線基地局装置は、無線インタフェース処理部１０１Ｂ−１〜１０１Ｂ−Ｎと、ｅＮｏｄｅＢプライベートＥｔｈｅｒｎｅｔスイッチ機能部１０３Ｂと、ｅＮｏｄｅＢ ＩＰ伝送プロトコル変換機能部１０５Ｂと、Ｓ−ＧＷ ＩＰ伝送路インタフェース部１１１Ｂと、ｅＮｏｄｅＢ Ｕ−Ｐｌａｎｅ無線リソース管理・パラメータ管理部１０８Ｂに加えて、さらに、ｅＮｏｄｅＢ Ｕ−Ｐｌａｎｅ トラフィック量測定・遅延量測定・パケット優先制御機能部１２０を備えている。
【００４０】
無線インタフェース処理部１０１Ｂ−１〜１０１Ｂ−Ｎは、ＲＬＣ、ＭＡＣとＰＨＹのプロトコルレイヤを処理し、図７に示すＵ−ＰｌａｎｅのＰＤＣＰフレームを送信する機能を有する。ＰＤＣＰフレーム２０１では、ＶＬＡＮ  ＴＡＧにおけるPriorityフィールドに、ｅＮｏｄｅＢ Ｕ−Ｐｌａｎｅ無線リソース管理・パラメータ管理部１０８Ｂから出力されたＤＳＣＰによる優先度情報が含まれる。また、Ｖ−ＩＤフィールドには、ｅＮｏｄｅＢ Ｕ−Ｐｌａｎｅ トラフィック量測定・遅延量測定・パケット優先制御機能部１２０から出力された優先度情報が含まれる。また、無線インタフェース処理部１０１Ｂ−１〜１０１Ｂ−Ｎは、各Ｕ−Ｐｌａｎｅデータの遅延量を、ｅＮｏｄｅＢ Ｕ−Ｐｌａｎｅ トラフィック量測定・遅延量測定・パケット優先制御機能部１２０に通知する手段１２４を備える。
【００４１】
ｅＮｏｄｅＢプライベートＥｔｈｅｒｎｅｔスイッチ機能部１０３Ｂは、無線インタフェース処理部１０１Ｂ−１〜１０１Ｂ−Ｎから入力したＵ−ＰｌａｎｅのＰＤＣＰフレームをパケットスイッチングしてｅＮｏｄｅＢ ＩＰ伝送路プロトコル変換機能部１０５Ｂに出力する機能を有する。また、ｅＮｏｄｅＢプライベートＥｔｈｅｒｎｅｔスイッチ機能部１０３Ｂは、各Ｕ−Ｐｌａｎｅデータの遅延量をｅＮｏｄｅＢ Ｕ−Ｐｌａｎｅ トラフィック量測定・遅延量測定・パケット優先制御機能部１２０に通知する手段１２５を備える。
【００４２】
ｅＮｏｄｅＢ ＩＰ伝送プロトコル変換機能部１０５Ｂは、入力したＵ−ＰｌａｎｅのＰＤＣＰフレームを図７に示すＧＴＰ−Ｕフレームに変換する機能を有する。
【００４３】
Ｓ−ＧＷ ＩＰ伝送路インタフェース部１１１Ｂは、Ｕ−ＰｌａｎｅのＧＴＰ−ＵフレームをＳ１−Ｕインタフェースに送信する。また、このＳ−ＧＷ ＩＰ伝送路インタフェース部１１１Ｂは、上りＵ−Ｐｌａｎｅのトラフィック量を算出するためにＧＴＰ−Ｕフレーム１２１をｅＮｏｄｅＢ Ｕ−Ｐｌａｎｅ ＩＰトラフィック量測定・遅延量測定・パケット優先制御部１２０に出力する。
【００４４】
ｅＮｏｄｅＢ Ｕ−Ｐｌａｎｅ無線リソース管理・パラメータ管理部１０８Ｂは、ｅＮｏｄｅＢの割り当てられるＵ−Ｐｌａｎｅの無線リソース管理と各種パラメータを管理する。ｅＮｏｄｅＢ Ｕ−Ｐｌａｎｅ無線リソース管理・パラメータ管理部１０８Ｂは、無線インタフェース処理する処理部のブロック割り当てを実行し（図９の２２１）、無線リソースＮｏ．に関連づけられたプライベートＩＰアドレス（図９の２２４）と、ＶＬＡＮ  ＴＡＧにおけるPriorityフィールドに付与するＤＳＣＰの値を各無線インタフェース処理部１０１Ｂ−１〜１０１Ｂ−Ｎに対して通知する（図５の１１０Ｂ)。さらに、ｅＮｏｄｅＢ Ｕ−Ｐｌａｎｅ無線リソース管理・パラメータ管理部１０８Ｂは、ｅＮｏｄｅＢ Ｕ−Ｐｌａｎｅ トラフィック量測定・遅延量測定・パケット優先制御機能部１２０に対して、無線リソースＮｏ．毎に、帯域保証ベアラ（図９の２２７）、最大ビットレート（図９の２２８）、保証ビットレート（図９の２２９）を出力する。
【００４５】
ｅＮｏｄｅＢ Ｕ−Ｐｌａｎｅ トラフィック量測定・遅延量測定・パケット優先制御機能部１２０は、ｅＮｏｄｅＢ U-Pane無線リソース管理・パラメータ管理部１０８Ｂから無線インタフェース割り当てに関する情報１２２を取得する。ここで、情報１２２には、帯域保証ベアラ（図９の２２７）、最大ビットレート（図９の２２８）、保証ビットレート（図９の２２９）が含まれる
【００４６】
また、ｅＮｏｄｅＢ Ｕ−Ｐｌａｎｅ トラフィック量測定・遅延量測定・パケット優先制御機能部１２０は、Ｓ−ＧＷ ＩＰ伝送路インタフェース部１１１ＢからＵ−ＰｌａｎｅのＧＴＰ−Ｕパケット１２１を取得する。さらに、ｅＮｏｄｅＢ Ｕ−Ｐｌａｎｅ トラフィック量測定・遅延量測定・パケット優先制御機能部１２０は、取得したＧＴＰ−Ｕパケット１２１に基づいて、ＧＴＰ−ＵのＴＥ−ＩＤ(Tunnel Endpoint Identifier)（図９のＧＴＰ−Ｕ  ＴＥ−ＩＤ２２５）毎のトラフィック量（図９のＴＥ−ＩＤトラフィック量２２６）を算出する。そして、ｅＮｏｄｅＢ Ｕ−Ｐｌａｎｅ トラフィック量測定・遅延量測定・パケット優先制御機能部１２０は、ＧＴＰ−ＵのＴＥ−ＩＤ(Tunnel Endpoint Identifier)毎のトラフィック量に基づいて、予め定められた判断基準に従って優先度情報を生成する。
【００４７】
そして、ｅＮｏｄｅＢ Ｕ−Ｐｌａｎｅ トラフィック量測定・遅延量測定・パケット優先制御機能部１２０は、この優先度情報をＶＬＡＮ（Virtual LAN)タグ１２３として、無線インタフェース割り当て毎に無線インタフェース処理部１０１Ｂ−１〜１０１Ｂ−Ｎに対して動的に通知する。ＶＬＡＮタグ１２３には、図９で示されるＶＬＡＮタグＰｒｉｏｒｉｔｙ２２２と、ＶＬＡＮタグＶ−ＩＤ２２３が含まれる。
【００４８】
このＶＬＡＮタグ１２３のうち、Ｐｒｉｏｒｉｔｙ２２２はＤＳＣＰの優先制御を、またＶ−ＩＤ２２３はトラフィック量等に応じた優先制御をそれぞれｅＮｏｄｅＢプライベートＥｔｈｅｒｎｅｔスイッチ機能部１０３Ｂで実行するために用いられる。
【００４９】
また、ＮｏｄｅＢ Ｕ−Ｐｌａｎｅ トラフィック量測定・パケット優先制御機能部１２０は、各Ｕ−ＰｌａｎｅデータのＱＣＩ（QoS Class Identifier）優先度とｅＮＢ内要求平均遅延量との比較を行う。ＮｏｄｅＢ Ｕ−Ｐｌａｎｅ トラフィック量測定・パケット優先制御機能部１２０は、各Ｕ−Ｐｌａｎｅデータの遅延量に応じた優先制御をｅＮｏｄｅＢプライベートＥｔｈｅｒｎｅｔスイッチ機能部１０３Ｂで行う為に、優先制御に基づいたＶＬＡＮ(Vartial LAN)タグを無線インタフェース割り当て毎に無線インタフェース処理部に動的に通知し付与する手段１２３を備える。さらに、ｅＮｏｄｅＢ Ｕ−Ｐｌａｎｅ トラフィック量測定・遅延量測定・パケット優先制御機能部１２０は、各無線インタフェース処理部１０１Ｂ−１〜１０１Ｂ−Ｎの要求遅延量に対する負荷状態を、ｅＮｏｄｅＢ Ｕ−Ｐｌａｎｅ無線リソース管理・パラメータ機能部に通知する手段１２６を備える。
【００５０】
続いて、本発明の実施の形態にかかる無線基地局装置の動作説明を行う。
図１０〜１２を用いて、トラフィック量等に基づいて優先制御する処理フローについて説明する。本例では、ＶＬＡＮタグＰｒｉｏｒｉｔｙ値２２２は、ＤＳＣＰ上位３ビットの値２１４を使用する。
【００５１】
また、ＶＬＡＮタグＶ−ＩＤ値２２３を求める。最初に、ＴＥ−ＩＤトラフィック量２２６の算出処理を実行する。次に、そのＴＥ−ＩＤのＵ−Ｐｌａｎｅ呼について、帯域保証があるか（ＧＢＲ：Guaranteed Bit Rate）か、ないか(ＮｏｎＧＢＲ：Non Guaranteed Bit Rate)かを判定（２５０）する。
【００５２】
判定の結果、そのＴＥ−ＩＤのＵ−Ｐｌａｎｅ呼について、帯域保証ＧＢＲがあるＵ−Ｐｌａｎｅ呼の場合には、ＧＢＲ用の判断基準に従ってＶＬＡＮタグＶ−ＩＤ動的割り当て（２５１）を実行する。
【００５３】
判定の結果、そのＴＥ−ＩＤのＵ−Ｐｌａｎｅ呼について、帯域保証ＧＢＲがないＮｏｎＧＢＲのＵ−Ｐｌａｎｅ呼の場合にはＮｏｎ−ＧＢＲ用の判断基準に従ってＶＬＡＮタグＶ−ＩＤ動的割り当て（２５２）を実行する。
【００５４】
そして、これらのＶＬＡＮタグＶ−ＩＤ動的割り当て（２５１，２５２）によってＶＬＡＮタグＶ−ＩＤ値２２３を決定し、無線インタフェース処理部１０１Ｂ−１〜１０１Ｂ−Ｎに対して通知する（２５６）。
【００５５】
ここで、図１１を用いて、ＧＢＲ用の判断基準に従ったＶＬＡＮタグＶ−ＩＤ動的割り当て（２５１）について、説明する。説明の便宜上、動的に割り当てるＶ−ＩＤを８クラス分けし、７が最も高い優先度を示し、１が最も低い優先度を示す。
【００５６】
図１１に示されるように、ＴＥ−ＩＤトラフィック量が保証ビットレートより小さい場合には、その割合が小さい程、優先度を高くするように優先度を決定する。ＴＥ−ＩＤトラフィック量が保証ビットレートより大きく、最大ビットレートより小さい場合には、ＴＥ−ＩＤトラフィック量から保証ビットレートをひいた差分量の、最大ビットレートから保証ビットレートをひいた差分量に対する割合が大きい程、優先度を低くするように優先度を決定する。すなわち、ＧＢＲのＵ−Ｐｌａｎｅ呼の場合には、保証ビットレートを満たしていない程、優先度を高くし、保証ビットレートを満たし、最大ビットレートに近い程、優先度を高くする。
【００５７】
図９に示される無線リソースＮｏ♯１を例に挙げて優先度の決定方法について説明する。図９の表に示されるように、この無線リソースＮｏ♯１は、帯域保証ベアラ２２７はＧＢＲであるため、図１１に示すＧＢＲ用の判断基準が適用される。そして、無線リソースＮｏ♯１は、保証ビットレート２２９が5,000,000bps、ＴＥ−ＩＤトラフィック量２２６が4,000,000bpsであるため、これらの値から、ＴＥ−ＩＤトラフィック量の、保証ビットレートに対する割合が８０％であることが求められる。従って、図９の表を参照すれば、その割合は７５％以上１００％以下の範囲に含まれるから、優先度であるＶＬＡＮタグＶ−ＩＤ値２２３は、「４」と決定される。
【００５８】
さらに、図９に示される無線リソースＮｏ♯９７を例に挙げて優先度の決定方法について説明する。図９の表に示されるように、この無線リソースＮｏ♯９７は、帯域保証ベアラ２２７はＧＢＲであるため、図１１に示すＧＢＲ用の判断基準が適用される。そして、無線リソースＮｏ♯９７は、保証ビットレート２２９が3,000,000bps、ＴＥ−ＩＤトラフィック量２２６が4,000,000bpsであるため、ＴＥ−ＩＤトラフィック量が保証ビットレートより大きいと判断される。そして、ＴＥ−ＩＤトラフィック量から保証ビットレートひくことにより1,000,000bpsと求められる。また、最大ビットレート5,000,000bpsから保証ビットレートを引くことにより2,000,000bpsと求められる。ＴＥ−ＩＤトラフィック量から保証ビットレートをひいた差分量の、最大ビットレートから保証ビットレートをひいた差分量に対する割合は、５０％と求められる。従って、図９の表を参照すれば、その割合は５０％以上７５％未満の範囲に含まれるから、優先度であるＶＬＡＮタグＶ−ＩＤ値２２３は、「１」と決定される。
【００５９】
続いて、図１２を用いて、Ｎｏｎ−ＧＢＲ用の判断基準に従ったＶＬＡＮタグＶ−ＩＤ動的割り当て（２５２）について、説明する。説明の便宜上、動的に割り当てるＶ−ＩＤを８クラス分けし、７が最も高い優先度を示し、１が最も低い優先度を示す。
Ｎｏｎ−ＧＢＲ用の判断基準では、Ｎｏｎ−ＧＢＲ無線リソース１つ当たりの帯域量を算出する。その算出方法は上位から通知された伝送路Ｕ−Ｐｌａｎｅ帯域量から、割り当てられたすべてのGBRの最大ビットレートと保証ビットレートの合計を半分の値をひいて、その値から割り当てられたＮｏｎ−ＧＢＲリソース数で割った値を、Ｎｏｎ−ＧＢＲ無線リソース１つ当たりの帯域量とする。これは帯域非保証サービスの場合は最大ビットレートや保証ビットレートの指定がないため、帯域保証型のＵ−Ｐｌａｎｅの帯域使用率をあらかじめ伝送路Ｕ−Ｐｌａｎｅ帯域量から引き、その値をＮｏｎ−ＧＢＲのＵ−Ｐｌａｎｅに均等に割り当てており、ＴＥ−ＩＤトラフィック量が大きい程、優先度を高く、ＴＥ−ＩＤトラフィック量が小さい程、優先度を低くするように優先度を決定する。
【００６０】
ここで、図９に示される無線リソースＮｏ♯２を例に挙げて優先度の決定方法について説明する。まず、Ｎｏｎ−ＧＢＲ無線リソース１つ当たりの帯域量を求める。例えば、伝送路Ｕ−Ｐｌａｎｅ帯域量が1,000,000,000bpsで、割り当てられたＧＢＲの最大ビットレートと保証ビットレートの合計の半分が200,000,000bps、割り当てられたＮｏｎＧＢＲリソース数を８０とすると、ＮｏｎＧＢＲ無線リソース１つ当たりの帯域量は10,000,000と求められる。
【００６１】
無線リソースＮｏ♯２は、ＴＥ−ＩＤトラフィック量が8,000,000bpsであるため、ＮｏｎＧＢＲ無線リソース１つ当たりの帯域量に対する割合は、８０％である。これは、図１２に示す表において、７５％以上８７．５％未満の範囲に含まれるので、優先度であるＶＬＡＮタグＶ−ＩＤ値２２３は、「６」と決定される。
【００６２】
また、図９に示される無線リソースＮｏ♯９９は、ＴＥ−ＩＤトラフィック量が3,000,000bpsで、その割合は２５％以上３７．５％未満の範囲に入るので、優先度であるＶＬＡＮタグＶ−ＩＤ値２２３は、「２」と決定される。
【００６３】
次に、ＶＬＡＮタグＶ−ＩＤを動的に通知する具体的なフローと、具体的なパラメータとトラフィック状態例を図１４〜図１８を用いて説明する。
【００６４】
図１４は、Ｅｔｈｅｒｎｅｔインタフェースの各送信帯域（１００Ｍｂｐｓ、１０００Ｍｂｐｓ、１０Ｇｂｐｓ）を例に、他のパケットが送信された場合に滞留する時間量を一覧表にしたものである。具体例として、１０００ＭｂｐｓでＥｔｈｅｒフレームが２５６ｂｙｔｅのデータを送信するのに必要とする時間は＜送信間隔＞（９６ｎｓ）＋＜送信プリアンブル＋ＳＦＤ＞（６４ｎｓ）＋＜Ｅｔｈｅｒフレーム＞（２０４８ｎｓ）であるので、合計２２０８ｎｓとなる。帯域制限（シェーピング）がかけられている場合は、この値に帯域の比率分を掛け合わせることで、簡易的にパケットの滞留量から遅延量を求めることができる。
【００６５】
次に、ｅＮｏｄｅＢ Ｕ−Ｐｌａｎｅトラフィック量測定・遅延量測定・パケット優先制御機能部１２０で動的に割り当てるＶＬＡＮ−ＩＤについて説明する。図１５は本発明で実施するＶＬＡＮタグフォーマット例である。Ｖ−ＩＤの値１２ｂｉｔは、ＴＥ−ＩＤトラフィック量算出３０９のＶ−ＩＤ値（１）３０６の４ｂｉｔと、ＴＥ−ＩＤ遅延量算出３１０の８ｂｉｔからなる構成とした。この構成例は一例であり、１２ｂｉｔの割り当ては自由に変えられる構成とする。また、Ｐｒｉｏｒｉｔｙ３０５の値は、ＤＳＣＰ上位３ｂｉｔの値２１４とする。
【００６６】
図１６は、無線基地局装置の処理を示すフローチャートである。図１６のＤＳＣＰ上位３ｂｉｔの値２１４とＴＥ−ＩＤトラフィック量算出３０９については、図１０に示した内容と同様であるため、説明を省略する。
図１６の右側に示したフローは、ＴＥ−ＩＤ遅延量算出３１０によるＶＬＡＮタグＶ−ＩＤ値（２）３１３を算出するフローであり、そのＶＬＡＮタグのＶ−ＩＤ動的割り当ての為のパラメータとトラフィック状態の例を図１７に示す。ＮｏｄｅＢ Ｕ−Ｐｌａｎｅ トラフィック量測定・パケット優先制御機能部１２０は、ｅＮｏｄｅＢプライベートＥｔｈｅｒｎｅｔスイッチ機能部１０３Ｂから、各Ｕ−Ｐｌａｎｅデータの遅延量の通知１２４を受けて、無線リソース毎（ＴＥ−ＩＤ毎）のｅＮｏｄｅＢプライベートＥｔｈｅｒｎｅｔスイッチ機能部平均遅延量３２３を算出する。また、ＮｏｄｅＢ Ｕ−Ｐｌａｎｅ トラフィック量測定・パケット優先制御機能部１２０は、無線インタフェース処理部１０１Ｂ−１〜１０１Ｂ−Ｎから各Ｕ−Ｐｌａｎｅデータの遅延量の通知１２５を受けて、無線インタフェース部平均遅延量３２３を算出する。無線リソース毎（ＴＥ−ＩＤ毎）のＱＣＩ優先度３２１とｅＮＢ内部平均遅延量は、ｅＮｏｄｅＢ Ｕ−Ｐｌａｎｅ無線リソース管理・パラメータ機能部１０８Ｂから通信品質のパラメータとしてあらかじめ通知１２２される。
【００６７】
図１８は、遅延量によるＶＬＡＮタグＶ−ＩＤ動的割り当て（３１２）の、ＶＬＡＮタグＶ−ＩＤ値（２）の算出する処理を具体的なパラメータで示したものである。例えば、図１７の無線リソースＮｏ＃３では、「無線インタフェース部平均遅延量＝２ｍｓ」と「ｅＮｏｄｅＢプライベートＥｔｈｅｒｎｅｔスイッチ機能部平均遅延量＝２ｍｓ」が刻々と変化するトラフィック状態の遅延量である。ここで、「ｅＮＢ内部要求平均遅延量＝５ｍｓ以下」の場合は、その要求遅延量の比率は、８０％以上であり、ＱＣＩ優先度は「３」であるのでＶＬＡＮタグＶ−ＩＤ（２）を「６２」と動的に割り当てる（３１３）。
【００６８】
また例えば、図１７の無線リソースＮｏ＃９８では、「無線インタフェース部平均遅延量＝３ｍｓ」と「ｅＮｏｄｅＢプライベートＥｔｈｅｒｎｅｔスイッチ機能部平均遅延量＝５ｍｓ」が刻々と変化するトラフィック状態の遅延量である。ここで、「ｅＮＢ内部要求平均遅延量＝５０ｍｓ以下」の場合は、その要求遅延量の比率は、０％以上２０％未満であり、ＱＣＩ優先度は「９」であるのでＶＬＡＮタグＶ−ＩＤ（２）を「８」と動的に割り当てる（３１３）。
【００６９】
このようにして、決定されたＶＬＡＮタグＶ−ＩＤ値２２３は、ｅＮｏｄｅＢ Ｕ−Ｐｌａｎｅ トラフィック量測定・遅延量測定・パケット優先制御機能部１２０から無線インタフェース処理部１０１Ｂ−１〜１０１Ｂ−Ｎに対して出力される。無線インタフェース処理部１０１Ｂ−１〜１０１Ｂ−Ｎは、ＶＬＡＮタグＶ−ＩＤが付与されたＥｔｈｅｒｎｅｔパケットを生成して、ｅＮｏｄｅＢプライベートＥｔｈｅｒｎｅｔスイッチ機能部１０３Ｂに出力する。
【００７０】
ｅＮｏｄｅＢプライベートＥｔｈｅｒｎｅｔスイッチ機能部１０３Ｂは、ＶＬＡＮタグＶ−ＩＤが付与されたＥｔｈｅｒｎｅｔパケットを受信し、ＶＬＡＮタグＶ−ＩＤの内容により優先制御を実行する。このため、刻々と変化するＵ−Ｐｌａｎｅ呼に割り当てられた通信品質や通信帯域の異なるトラフィックが変化しても、最適な優先制御を行うことができる。特に、通信品質や通信帯域の異なるユーザ数の割り当てが多く、通信品質や通信帯域の異なるトラフィックが増大している場合に最適な優先制御を実現できる。特に、本実施の形態にかかる優先制御方法によれば、ユーザデータに対して定められる品質情報（帯域保証型と帯域非保証型）と帯域（ＴＥ−ＩＤトラフィック量）に応じて、優先制御できるため、より最適な優先制御を実現できる。
【００７１】
また、通信品質や通信帯域の異なるユーザ数の割り当てが多く、通信品質や通信帯域の異なるトラフィックが増大している場合においても、ユーザスループットの効率がより高くなる効果がある。通信品質や通信帯域の異なるトラフィックが増大している場合においても最適な優先制御を行うことができるため、品質を満たせなくＳ−ＧＷで破棄されるデータが減り、再送回数も減らすことができるからである。
【００７２】
また、図１３に示したように、通信品質の異なるトラフィックが、多く割り当てられ、トラフィックが増大している場合において、各無線リソース（ＴＥ−ＩＤ毎）の要求通信品質であるＱＣＩ優先度とｅＮＢ内部要求平均遅延量を用いて、かつ、刻々と変化するトラフィック状況の遅延量に応じて、優先制御することができる。
【００７３】
また、通信品質や通信帯域の異なるトラフィックが増大している場合の要求遅延量に対する負荷分散を行うことができる。その理由として無線インタフェース処理部１０１Ｂ−１〜１０１Ｂ−Ｎから各Ｕ−Ｐｌａｎｅデータの遅延量を、ｅＮｏｄｅＢ Ｕ−Ｐｌａｎｅ トラフィック量測定・遅延量測定・パケット優先制御機能部１２０に通知する手段１２５を具備することで、各無線インタフェース処理部１０１Ｂ−１〜１０１Ｂ−Ｎの要求遅延量に対する負荷状態を得られることができ（図９、図１７）、その状態をｅＮｏｄｅＢ Ｕ−Ｐｌａｎｅ無線リソース管理・パラメータ機能部１２０に通知する手段１２６を具備することで、要求遅延量に対して、厳しいＵ−Ｐｌａｎｅデータは、他の無線インタフェース処理部（１０１Ｂ−１〜１０１Ｂ−Ｎ）に無線インタフェースを割り当て直し、要求遅延量に対する負荷分散をおこなう手段をもつからである。
【００７４】
また、プライベートＥｔｈｅｒｎｅｔ ＭＡＣ／ＩＰ空間でのＵ−Ｐｌａｎｅパケットの優先制御をｅＮｏｄｅＢプライベートＥｔｈｅｒｎｅｔスイッチ機能部１０３ＢでＶＬＡＮタグを利用してハードウェア的に処理することにより、ｅＮｏｄｅＢ ＩＰ伝送路プロトコル変換機能部１０５ＢのＤＳＣＰ処理が必要なくなることで、処理負荷が軽減されることになるため、通信品質や通信帯域の異なるＵ−Ｐｌａｎｅパケット処理の時間を短くすることができる。
【００７５】
本発明の構成は、ユーザ数が増加することで、無線インタフェース処理部がスケーラブルに増大する大容量のｅＮｏｄｅＢ装置に特に大きな効果が得られると考えられる。
【００７６】
その他の実施の形態．
図１１に示すＧＢＲにおけるＶＬＡＭタグＶ−ＩＤ動的割り当ての分類数は８段階であるが、これに限らず、分類数を４０９６段階までの任意の数に定めることができる。また、Ｖ−ＩＤを割り当てるＴＥ−ＩＤトラフィック量に応じた割合も容易に変更できる。
また、図１２に示すＮｏｎＧＢＲにおけるＶＬＡＮタグＶ−ＩＤ動的割り当ての分類数は８段階であるが、これに限らず、分類数を４０９６段階までの任意の数に定めることができる。また、Ｖ−ＩＤを割り当てるＴＥ−ＩＤトラフィック量に応じた割合も容易に変更できる。
【００７７】
なお、上記の制御は、コンピュータプログラムによって実行されても良い。上述した制御プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体(例えばフレキシブルディスク、磁気テープ、ハードディスクドライブ)、光磁気記録媒体(例えば光磁気ディスク)、ＣＤ−ＲＯＭ(Read Only Memory）、ＣＤ−Ｒ、ＣＤ−Ｒ／Ｗ、半導体メモリ(例えば、マスクＲＯＭ、ＰＲＯＭ(Programmable ROM）、ＥＰＲＯＭ(Erasable PROM）、フラッシュＲＯＭ、ＲＡＭ(Random Access Memory））を含む。また、プログラムは、様々なタイプの一時的なコンピュータ可読媒体(transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
また、コンピュータが上述の実施の形態の機能を実現するプログラムを実行することにより、上述の実施の形態の機能が実現される場合だけでなく、このプログラムが、コンピュータ上で稼動しているＯＳ(Operating System)もしくはアプリケーションソフトウェアと協働して、上述の実施の形態の機能を実現する場合も、本発明の実施の形態に含まれる。
【００７９】
以上、実施の形態を参照して本願発明を説明したが、本願発明は上記によって限定されるものではない。本願発明の構成や詳細には、発明のスコープ内で当業者が理解し得る様々な変更をすることができる。例えば、図１８の遅延量によるＶＬＡＮタグＶ−ＩＤ動的割り当ては１〜６４の６４段階で数値が高い程、高優先となる構成として説明したが、要求遅延量の比率やＱＣＩ優先度の割り当てについてはこれに限ったものではない。
【００８０】
上記の実施の形態の一部又は全部は、以下の付記のようにも記載され得るが、以下には限られない。
【００８１】
（付記１）
複数の無線通信端末から送信された無線信号に対するインタフェース処理を実行し、パケット信号を出力する無線インタフェース処理部と、
前記無線インタフェース処理部より出力されたパケット信号に含まれる優先度情報に応じて、優先度が高いパケット信号を優先して出力するパケット通信処理部と、
前記パケット通信処理部より出力されたパケット信号に対するインタフェース処理を実行し、パケット信号をコアネットワークに対して出力するコアネットワークインタフェース処理部と、
前記コアネットワークインタフェース処理部よりトラフィック量情報を取得し、取得したトラフィック量情報に基づいて優先度情報を生成して前記無線インタフェース処理部に出力するパケット優先制御部を備え、
前記無線インタフェース処理部は、パケット優先制御部から出力された優先度情報を、対応するパケット信号中に含める無線基地局装置。
（付記２）
前記パケット優先制御部は、
保証ビットレートと、前記トラフィック量情報に基づいて優先度情報を生成する付記１記載の無線基地局装置。
（付記３）
前記パケット優先制御部は、
最大ビットレートと、前記トラフィック量情報に基づいて優先度情報を生成する付記１記載の無線基地局装置。
（付記４）
前記パケット優先制御部は、
帯域保証ベアラと、前記トラフィック量情報に基づいて優先度情報を生成する付記１記載の無線基地局装置。
（付記５）
前記パケット通信処理部は、
前記無線インタフェース処理部から出力されたパケット信号に対してパケットスイッチングするスイッチ機能部と、
前記スイッチ機能部より出力されたパケット信号に対してプロトコル変換を実行するプロトコル変換機能部を有し、
当該スイッチ機能部が前記パケット信号に含まれる優先度情報に応じて、優先度が高いパケット信号を優先して前記プロトコル変換機能部に出力する付記１〜４いずれかに記載の無線基地局装置。
（付記６）
前記パケット優先制御部は、
前記スイッチ機能部から出力されたデータの遅延量の情報と、前記無線インタフェース処理部から出力されたデータの遅延量の情報と、に基づいて、優先度情報を生成する付記５に記載の無線基地局装置。
（付記７）
前記無線インタフェース処理部は、優先度情報をＶＬＡＮタグ情報の領域に含める付記１〜６いずれかに記載の無線基地局装置。
（付記８）
ＬＴＥ無線基地局装置であって、前記無線インタフェース処理部から出力されたパケット信号は、Ｕ−Ｐｌａｎｅデータである、付記１〜７いずれかに記載の無線基地局装置。
（付記９）
無線通信端末より受信した無線信号に基づいて生成されたパケット信号をコアネットワークに対して送信する制御を実行するパケット送信制御方法であって、
前記コアネットワークに対して出力されるパケット信号のトラフィック量情報を取得するステップと、
取得したトラフィック量情報に基づいて優先度情報を生成するステップと、
前記優先度情報に応じて、優先度が高いパケット信号を優先して出力する制御を実行するステップを備えたパケット送信制御方法。
（付記１０）
前記優先度情報を生成するステップでは、保証ビットレートと、前記トラフィック量情報に基づいて優先度情報を生成する付記９記載のパケット送信制御方法。
（付記１１）
前記優先度情報を生成するステップでは、最大ビットレートと、前記トラフィック量情報に基づいて優先度情報を生成する付記１０記載のパケット送信制御方法。
（付記１２）
前記優先度情報を生成するステップでは、帯域保証ベアラと、前記トラフィック量情報に基づいて優先度情報を生成する付記９記載のパケット送信制御方法。
（付記１３）
前記パケット信号は、Ｕ−Ｐｌａｎｅデータである、付記８〜１２いずれかに記載のパケット送信制御方法。
【符号の説明】
【００８２】
１  無線インタフェース処理部
２  パケット通信処理部
３  コアネットワークインタフェース処理部
４  パケット優先制御部
【図１】
2013225834.tif 000003
【図２】
2013225834.tif 000004
【図３】
2013225834.tif 000005
【図４】
2013225834.tif 000006
【図５】
2013225834.tif 000007
【図６】
2013225834.tif 000008
【図７】
2013225834.tif 000009
【図８】
2013225834.tif 000010
【図９】
2013225834.tif 000011
【図１０】
2013225834.tif 000012
【図１１】
2013225834.tif 000013
【図１２】
2013225834.tif 000014
【図１３】
2013225834.tif 000015
【図１４】
2013225834.tif 000016
【図１５】
2013225834.tif 000017
【図１６】
2013225834.tif 000018
【図１７】
2013225834.tif 000019
【図１８】
2013225834.tif 000020